(57)【要約】【課題】  使用勝手が良く、構造の単純化を図ったり、製造コストの低廉化を図ることが容易で、デザインの選択の自由度が高く、誤操作を生じ難くした水栓を提供する。【解決手段】  湯が流入する湯側の給湯口１２と、水が流入する水側の給水口１３と、カラン吐水手段３０に繋がるカラン接続口１４と、シャワー吐水手段４０に繋がるシャワー接続口１５と、を具備する水栓本体１１を備える。水栓本体１１が、給湯口１２から流入する湯の吐水方向を、カラン接続口１４の方向及びシャワー接続口１５の方向のうちの一方向に択一的に切り換えると共に止水機能を備える湯側の切換弁２０と、給水口１３から流入する水の吐水方向を、カラン接続口１４の方向及びシャワー接続口１５の方向のうちの一方向に択一的に切り換えると共に止水機能を備える水側の切換弁２１と、を備える。【選択図】        図２
2005133456.tif 000002
【特許請求の範囲】
【請求項１】
湯が流入する湯側の流入部と、水が流入する水側の流入部と、カラン吐水手段に繋がるカラン側の流出部と、シャワー吐水手段に繋がるシャワー側の流出部と、を具備する水栓本体を備える水栓であって、
前記水栓本体が、
湯側の流入部から流入する湯の吐水方向を、カラン側の流出部の方向及びシャワー側の流出部の方向のうちの一方向に択一的に切り換えると共に止水機能を備える湯側の切換弁と、
水側の流入部から流入する水の吐水方向を、カラン側の流出部の方向及びシャワー側の流出部の方向のうちの一方向に択一的に切り換えると共に止水機能を備える水側の切換弁と、を備えることを特徴とする水栓。
【請求項２】
湯が流入する湯側の流入部と、水が流入する水側の流入部と、各々別個の吐水手段に繋がる複数の流出部と、を具備する水栓本体を備える水栓であって、
前記水栓本体が、
湯側の流入部から流入する湯の吐水方向を、前記複数の流出部の方向のうちの一方向に択一的に切り換えると共に止水機能を備える湯側の切換弁と、
水側の流入部から流入する水の吐水方向を、前記複数の流出部の方向のうちの一方向に択一的に切り換えると共に止水機能を備える水側の切換弁と、を備えることを特徴とする水栓。
【請求項３】
前記水栓本体の外部であって前記湯側の流入部の１次側の部位に、所定の調温手段を配置すると共に、
前記調温手段によって予め所望温度に温度制御された湯が、前記湯側の流入部から前記水栓本体に流入することを特徴とする請求項１又は請求項２に記載の水栓。
【発明の詳細な説明】
【技術分野】
【０００１】
本発明は、水栓に関する。
【背景技術】
【０００２】
水栓の中には、択一に使用される複数の吐水手段を備えるものがある。例えば、「カラン等を用いて構成されるカラン吐水手段」と、「シャワーホース及びシャワーヘッド等を用いて構成されるシャワー吐水手段」とを備える水栓が従来より用いられている。
【０００３】
かかる水栓の水栓本体は、給湯用の元配管から供給される湯を流入させるための「湯側の流入部」と、給水用の元配管から供給される水を流入させるための「水側の流入部」と、を備えている。そして、この水栓本体においては、吐水温度の調節を行うための温度調節部を両流入部の２次側に内蔵し、更に、吐水手段（吐水流路）の切り換えを行うための流路切換部を温度調節部の２次側に内蔵するのが一般的である。
【０００４】
例えば、（ａ）自動温度調節機構を備えるサーモスタット方式の温度調節部と、この温度調節部の２次側に配置される流路切換部（流路切換弁）とを水栓本体に内蔵する水栓（以下、「サーモスタットタイプの水栓」といい、特許文献１参照の図２等を参照）や、（ｂ）湯と水の混合度合いを別個のハンドルを用いて調節する２ハンドル方式の温度調節部と、この温度調節部の２次側に配置される流路切換部（流路切換弁）とを水栓本体に内蔵する水栓（以下、「２ハンドルタイプの水栓」といい、特許文献２の図９等を参照）が用いられている。
【特許文献１】特開２０００−２４０８２９号公報
【特許文献２】特開平１０−６８１５３号公報
【発明の開示】
【発明が解決しようとする課題】
【０００５】
ところが、これらの従来例には以下のような問題がある。即ち、サーモスタットタイプの水栓においては、湯側の流入部から水栓本体に流入する湯や、水側の流入部から水栓本体に流入する水が自動温度調節機構を通過するときに、この湯の給湯圧やこの水の給水圧が徒に低下すること（予定外の圧力損失を生ずること）がある。このため、「カラン吐水手段」や「シャワー吐水手段」から吐水される湯や水の吐水流量（勢い）を十分に確保できず、水栓の使用勝手が悪くなることがある。
【０００６】
また、サーモスタットタイプの水栓においては、自動温度調節機構の構造が複雑で製造コストが掛かるため、水栓の構造の単純化を図ったり、水栓の製造コストの低廉化を図ることが困難である。更に、自動温度調節機構は、サイズが大型化し易く（例えば、長尺状となり易く）、水栓本体への収納スペースが大きくなり易い。よって、水栓本体のサイズや形状の選択の自由度が低くなるため、デザインの選択の自由度が低くなっているのが実情である。
【０００７】
一方、２ハンドルタイプの水栓においてその水栓本体内で湯・水を混合し、「カラン吐水手段」若しくは「シャワー吐水手段」から吐水させる場合には、操作が面倒で使用勝手が悪くなっている。つまり、このタイプの水栓においては、湯側及び水側の両ハンドルを交互に反復操作して、吐水温度と吐水流量を手動で設定するという、面倒なハンドル操作に加え、流路切換部の操作部を操作する切換操作を行うことも必要であるからである。
【０００８】
また、２ハンドルタイプの水栓においては、吐止水の選択と、吐水方向の切換とを別個の操作部に与えられる別の操作によって行うため、以下のような誤操作と不具合を生ずることがある。つまり、この水栓では、吐水方向の切換操作を行うことなく、吐止水の選択操作を行うことが可能な構造であるため、使用者が流路切換部の操作部の操作位置を十分に確認せずに、湯側のハンドルや水側のハンドルに開放操作を施す可能性がある。例えば、「カラン吐水手段」からの吐水を意図して湯側のハンドルや水側のハンドルに開放操作を施したが、実は、流路切換部の操作部が「シャワー吐水手段を行う側」に操作されたままの状態であっため、使用者の意に反して「シャワー吐水手段」による吐水が開始される可能性がある。そして、かかる場合には、「シャワー吐水手段」から流出する湯水を使用者が浴びてしまう等の不具合を生ずる可能性があるからである。
【０００９】
本発明は、上述の課題を解決するものであり、使用勝手が良く、構造の単純化を図ったり、製造コストの低廉化を図ることが容易で、デザインの選択の自由度が高く、誤操作を生じ難い水栓を提供すること目的とする。
【課題を解決するための手段】
【００１０】
請求項１の発明の水栓は、湯が流入する湯側の流入部と、水が流入する水側の流入部と、カラン吐水手段に繋がるカラン側の流出部と、シャワー吐水手段に繋がるシャワー側の流出部と、を具備する水栓本体を備える水栓であって、
前記水栓本体が、
湯側の流入部から流入する湯の吐水方向を、カラン側の流出部の方向及びシャワー側の流出部の方向のうちの一方向に択一的に切り換えると共に止水機能を備える湯側の切換弁と、
水側の流入部から流入する水の吐水方向を、カラン側の流出部の方向及びシャワー側の流出部の方向のうちの一方向に択一的に切り換えると共に止水機能を備える水側の切換弁と、を備えることを特徴とする。
【００１１】
請求項２の発明の水栓は、湯が流入する湯側の流入部と、水が流入する水側の流入部と、各々別個の吐水手段に繋がる複数の流出部と、を具備する水栓本体を備える水栓であって、
前記水栓本体が、
湯側の流入部から流入する湯の吐水方向を、前記複数の流出部の方向のうちの一方向に択一的に切り換えると共に止水機能を備える湯側の切換弁と、
水側の流入部から流入する水の吐水方向を、前記複数の流出部の方向のうちの一方向に択一的に切り換えると共に止水機能を備える水側の切換弁と、を備えることを特徴とする。
【００１２】
請求項１の発明及び請求項２の発明の水栓では、その水栓本体の内部において、切換弁の１次側に温度調節部（例えば、前述の自動温度調節機構を備える温度調節部）を配置しないため、各吐水手段から吐水される湯や水の吐水流量（勢い）を十分に確保できる。つまり、水栓本体に流入した湯の給湯圧や水栓本体に流入した水の給水圧を徒に低下させる機構を、水栓本体内に配置しないため、各吐水手段から吐水される湯や水の吐水流量（勢い）を十分に確保できる。しかも、「湯側の切換弁の操作部」及び「水側の切換弁の操作部」のうちの一方を操作したり、双方を操作すれば、吐止水の選択と、吐水方向の切換とを行うことができる。よって、請求項１の発明及び請求項２の発明の水栓は操作性が高く、使用勝手に優れる。
【００１３】
また、請求項１の発明及び請求項２の発明の水栓は、吐止水の選択と、吐水方向の切換等を同一の操作部によって行う構造であるため、誤操作を生じ難くできる。つまり、前述の２ハンドルタイプの水栓とは異なり、吐水方向の切換操作を行うことなく、吐止水の選択操作を行うことが不可能な構造である。このため、使用者は、単一の操作部（吐止水の選択と、吐水方向の切換等を同時に行うための操作部）に注意を傾けつつ、この操作部を操作することができるため、「使用者の意に反する吐水手段から湯水が流出する」等の不具合を生ずることを防止できる。
【００１４】
更に、請求項１の発明及び請求項２の発明の水栓では、その水栓本体の内部における切換弁の１次側に、構造が複雑で、製造コストや設置スペースが嵩む部品（例えば、前述の「自動温度調節機構を備える温度調節部」）を配置しない。このため、水栓の機構（構造）の簡略化と製造コストの低廉化を図ることが容易である。また、水栓本体のサイズや形状の選択の自由度が高くなるため、水栓のデザインの選択の自由度が高くなる。
【００１５】
尚、請求項１の発明及び請求項２の発明の水栓では、前述の如く、「湯側の切換弁の操作部」のみに開放操作を施し、湯側の流入部から水栓本体に流入する湯のみを吐水してもよいし、「水側の切換弁の操作部」のみを開放操作を施し、水側の流入部から水栓本体に流入する水のみを吐水してもよい。これらの場合には、単一の操作部のみに施される「一操作」によって、吐止水の選択と吐水方向の選択等を行うことができるため、水栓をより円滑に操作することができる。但し、請求項１の発明及び請求項２の発明の水栓では、「湯側の切換弁の操作部」及び「水側の切換弁の操作部」の双方に開放操作を施し、湯側の流入部から水栓本体に流入する湯と、水側の流入部から水栓本体に流入する水とを、水栓本体の内部で混合した上で、吐水してもよい。
【００１６】
請求項２の発明の「複数の吐水手段」は、請求項１の発明に示す「カラン吐水手段」及び「シャワー吐水手段」に限定されず、吐水態様が異なる種々の「吐水手段」を例示できる。例えば、（ａ）ハンドシャワー吐水手段（シャワーヘッド及びシャワーホース等によってハンドシャワー吐水を行うシャワー吐水手段）、（ｂ）ミストシャワー吐水手段（霧状に湯水を吐水するミストシャワー吐水を行うシャワー吐水手段）、（ｃ）打たせ湯シャワー吐水手段（使用者に適度な刺激を与えるために滝水等のように湯水をシャワー吐水するシャワー吐水手段）、（ｄ）床清掃シャワー吐水手段（浴室の床面の清掃を行うために、床面に湯水を吐水する床清掃シャワー吐水を行うシャワー吐水手段）、（ｅ）床散湯シャワー吐水手段（浴室の床面を暖めるために、床面に湯水を吐水する床散湯シャワー吐水を行うシャワー吐水手段）、等から選択される複数の吐水手段であってもよい。
【００１７】
請求項３の水栓は、請求項１又は請求項２に記載の水栓において、前記水栓本体の外部であって前記湯側の流入部の１次側の部位に、所定の調温手段を配置すると共に、
前記調温手段によって予め所望温度に温度制御された湯が、前記湯側の流入部から前記水栓本体に流入することを特徴とする。
【００１８】
請求項３の発明は、近年、調温手段（例えば、給湯器）によって行われる「温度制御の精度」が向上したことを考慮してなされたものである。即ち、請求項３の発明においては、水栓本体の１次側で、所望温度に温度制御された「湯」を、湯側の流入部を通じて水栓本体に流入させる。よって、使用者は、調温手段から水栓本体に供給される湯の温度を予め所望温度に設定しておくだけで、より一層、使用勝手の良い状態にて水栓を使用することができる。
【００１９】
例えば、湯を吐水させたい場合（風呂への給湯時、洗髪時、手荒い時、食器洗浄時等）には、「湯側の切換弁の操作部」のみに開放操作を施せば足り、水を吐水させたい場合（清掃時等）には、「水側の切換弁の操作部」のみに開放操作を施せば足りる。つまり、湯側だけ、又は、水側だけの吐水（通水）を行う場合には、一方の切換弁に一操作を施せば足りることになる。換言すると、本水栓のサイドでは、温度調節操作を一切行う必要がないと共に、本水栓に設けられた単一の操作部に施す「一操作」によって、吐水箇所（吐水手段）を選びつつ、円滑な吐水を行うことができる。
【００２０】
但し、請求項３の発明においても、「湯側の切換弁の操作部」及び「水側の切換弁の操作部」の双方に開放操作を施し、湯側の流入部から水栓本体に流入する湯と、水側の流入部から水栓本体に流入する水とを、水栓本体の内部で混合した上で、吐水してもよい。例えば、「湯側の流入部から水栓本体に供給される湯」の温度が僅かに高い場合に、この湯に「水側の流入部から水栓本体に供給される水」を混合することで、吐水温度の調節（例えば、微調節）を行う態様を例示できる。
【００２１】
請求項１〜請求項３の各発明において、「湯側の切換弁」及び「水側の切換弁」の構造、形式は種々選択できる。例えば、（Ａ）互いに平面摺動して、互いの流路の開閉や連通度合い等の調節を行う固定弁体及び可動弁体を備える平面摺動方式の切換弁、（Ｂ）対向する一対の弁口に対して弁体を進退させて流路の切換及び流量の調節を行うリフト方式の切換弁、（Ｃ）各々円筒状に形成されると共に互いに挿嵌された固定弁体及び可動弁体を有し、互いに周面摺動して流路の開閉を行うロータリー方式の切換弁、（Ｄ）弁口と、この弁口方向に付勢されたボール状の弁体とを有し、弁体と弁口とを相対的に移動させて弁口の開閉を行うボール弁方式、等を例示できる。また、請求項１〜請求項３の各発明の「湯側の切換弁」及び「水側の切換弁」は、吐水方向（吐水流路）の切換の他に、止水（「同時止水」若しくは「一時止水」ともいう。）を行うことができる切換弁（所謂「一時止水機能付き切換弁」若しくは「同時止水機能付きの切換弁」）である。例えば、操作部を所定の止水位置にしたときに、止水状態を実現し、操作部をこの止水位置から一の方向に操作すると、一つの吐水方向（吐水流路）を選択でき、操作部をこの止水位置から他の方向に操作すると、他の吐水方向（吐水流路）が選択できる切換弁を例示できる。更に、請求項１〜請求項３の各発明において、「湯側の切換弁」及び「水側の切換弁」は、吐水流路の切換と、止水の他に、吐水流量の調節を行うことができるものであることが望ましい。
【発明の効果】
【００２２】
以上のように、本各発明によると、使用勝手が良く、構造の単純化を図ったり、製造コストの低廉化を図ることが容易で、デザインの選択の自由度が高く、誤操作を生じ難い水栓が得られる。
【発明を実施するための最良の形態】
【００２３】
次に、本各発明に係わる「水栓」の最良の形態（以下、「実施例」という。）を図面に従って詳細に説明する。
【００２４】
本実施例では、本各発明の一具体例を示す水栓１０と、この水栓１０を備える「水栓設備Ｓ」について説明する。この「水栓設備Ｓ」は、水栓１０と、給湯用の元配管部１Ａと、給水用の元配管部１Ｂと、を備えている。
【００２５】
給湯用の元配管部１Ａは、水栓１０の１次側において所望温度に温度制御された湯を、水栓１０に対して供給するためのものである。この給湯用の元配管部１Ａを構成する配管の経路途中には、その一次側から２次側に向かって、給湯器５１と、湯側の止水栓２ａと、湯側の逆止弁３ａと、湯側のストレーナ５ａとがこの順に介在されている。
【００２６】
給湯器５１は、調温手段の一具体例を構成するものであり、給湯制御装置５２と、給湯操作部（スイッチ）５３とが電気的に接続されている。そして、使用者が、給湯操作部（スイッチ）５３によって、所望の温度を指定すると、給湯器５１に内蔵されたセンサ（温度センサや流量センサ等）と、給湯制御装置（マイクロコンピュターや制御プログラム等で構成）等の働きにより、給湯器５１から水栓１０方向に流入する「湯」の温度が、所望の温度に制御される構成となっている。
【００２７】
給水用の元配管部１Ｂは、給水源（Ｃ）の水を、水栓１０に対して、そのまま供給するためのものである。この給水用の元配管部１Ｂを構成する配管の経路途中には、その一次側から２次側に向かって、水側の止水栓２ｂと、水側の逆止弁３ｂと、水側のストレーナ５ｂとがこの順に介在されている。
【００２８】
水栓１０は、水栓本体１１と、カラン吐水手段３０と、シャワー吐水手段４０とを備えている。このうち、水栓本体１１は、図２に示すように、背面の左端側に給湯口１２を設け、背面の右端側に給水口１３を設けている。この給湯口１２は「湯側の流入部」の一具体例を示し、給水口１３は「水側の流入部」の一具体例を示している。尚、本明細書において「左」、「右」、「前」、「後」等の方向は、使用者を基準に定めたものである。
【００２９】
水栓本体１１の底面には、カラン接続口１４が設けられ、水栓本体１１の背面の中央には、シャワー接続口１５が設けられている。このカラン接続口１４は「カラン側の流出部」の一具体例を示し、シャワー接続口１５は「シャワー側の流出部」の一具体例を示している。
【００３０】
水栓本体１１の内部では、左端側及び右端側に、収納室１６、１７が形成されている。そして、左端側の収納室１６には「湯側の切換弁２０」が収納され、右端側の収納室１７には「水側の切換弁２１」が収納されている。
【００３１】
水栓本体１１の内部においては、給湯口１２と左端側の収納室１６とを連絡する状態に給湯路１８ａが形成され、給水口１３と右端側の収納室１７とを連絡する状態に給水路１８ｂが形成されている。また、水栓本体１１の内部においては、カラン接続口１４と、両収納室１６、１７とを連絡する状態にカラン吐水路１９ａが形成されると共に、シャワー接続口１５と、両収納室１６、１７とを連絡する状態に、シャワー吐水路１９ｂが形成されている。
【００３２】
両切換弁２０、２１は何れも、「止水機能付きの弁機構（図示を省略）」を内蔵している。また、両切換弁２０、２１は、その前端面から操作軸（スピンドル等）２０ａ、２１ａの前端側の部分を突出させている。そして、この操作軸（スピンドル等）２０ａ、２１ａの前端側の部分は、水栓本体１１の前面の前方に突出している。更に、湯側の切換弁２０の操作軸（スピンドル等）２０ａの前端側の部分には、湯側のハンドル２２が一体駆動可能な状態（例えば、一体回動可能な状態）に取着され、水側の切換弁２１の操作軸（スピンドル等）２１ａの前端側の部分には、水側のハンドル２３が一体駆動可能な状態（例えば、一体回動可能な状態）に取着されている。尚、各ハンドル２２、２３は、何れも、その周面から取っ手部２２ａ、２３ａを突出させている。
【００３３】
湯側の切換弁２０は、後端部に湯取入口２０ｂを開口させ、側周面の前方寄りに、カラン側の湯取出口２０ｃを開口させると共に、側周面の後方寄りに、シャワー側の湯取出口２０ｄを開口させている。そして、湯取入口２０ｂは給湯路１８ａの２次側の端部と連続し、カラン側の湯取出口２０ｃは、カラン吐水路１９ａの「湯側の切換弁２０側に位置する１次側端部」と連続すると共に、シャワー側の湯取出口２０ｄは、シャワー吐水路１９ｂの「湯側の切換弁２０側に位置する１次側端部」と連続している。
【００３４】
水側の切換弁２１は、後端部に水取入口２１ｂを開口させ、側周面の前方寄りに、カラン側の水取出口２１ｃを開口させると共に、側周面の後方寄りに、シャワー側の水取出口２１ｄを開口させている。そして、水取入口２１ｂは給水路１８ｂの２次側の端部と連続し、カラン側の水取出口２１ｃは、カラン吐水路１９ａの「水側の切換弁２１側に位置する１次側端部」と連続すると共に、シャワー側の水取出口２１ｄは、シャワー吐水路１９ｂの「水側の切換弁２１側に位置する１次側端部」と連続している。
【００３５】
湯側の切換弁２０において、湯側のハンドル２２を止水位置（例えば、中間位置であって、図２の如く、取っ手部２２ａが上方に位置する状態）に操作すると、切換弁２０内の弁機構が止水状態に駆動される。このため、湯取入口２０ｂは、カラン側の湯取出口２０ｃ及びシャワー側の湯取出口２０ｄと「非連通な状態」となる。従って、給湯口１２から水栓本体１１の内部（給湯路１８ａ）に供給される湯は、湯側の切換弁２０の２次側、つまり、カラン吐水路１９ａ及びシャワー吐水路１９ｂには流れ込まない状態となる。
【００３６】
また、湯側のハンドル２２を、カラン吐水を行う方向（例えば、図４の如く、取っ手部２２ａが左方に位置する状態）に操作すると、切換弁２０内の弁機構が開放操作され、湯取入口２０ｂと、カラン側の湯取出口２０ｃとが連通する。これにより、給湯口１２から水栓本体１１の内部（給湯路１８ａ）に供給される湯は、カラン吐水路１９ａに流れ込む。このとき、ハンドル２２の操作量（止水位置からのカラン吐水を行う方向への回動量）に応じて、弁機構の開放量が選択される。つまり、ハンドル２２の操作量の多少に応じて、カラン吐水路１９ａに流れ込む「湯」の量を選択することができる。
【００３７】
また、湯側のハンドル２２を、シャワー吐水を行う方向（例えば、図５の如く、取っ手部２２ａが右方に位置する状態）に操作すると、切換弁２０内の弁機構が開放操作され、湯取入口２０ｂと、シャワー側の湯取出口２０ｄとが連通する。これにより、給湯口１２から水栓本体１１の内部（給湯路１８ａ）に供給される湯は、シャワー吐水路１９ｂに流れ込む。このとき、ハンドル２２の操作量（止水位置からシャワー吐水を行う方向への回動量）に応じて、弁機構の開放量が選択される。つまり、ハンドル２２の操作量の多少に応じて、シャワー吐水路１９ｂに流れ込む「湯」の量を選択することができる。
【００３８】
水側の切換弁２１においても、水側のハンドル２３を止水位置（例えば、中間位置であって、図２の如く、取っ手部２３ａが上方に位置する状態）に操作すると、切換弁２１内の弁機構が止水状態に駆動される。このため、水取入口２１ｂは、カラン側の水取出口２１ｃ及びシャワー側の水取出口２１ｄと「非連通な状態」となる。従って、給水口１３から水栓本体１１の内部（給水路１８ｂ）に供給される水は、水側の切換弁２１の２次側、つまり、カラン吐水路１９ａ及びシャワー吐水路１９ｂには流れ込まない状態となる。
【００３９】
また、水側のハンドル２３を、カラン吐水を行う方向（例えば、図６の如く、取っ手部２２ａが左方に位置する状態）に操作すると、切換弁２１内の弁機構が開放操作され、水取入口２１ｂと、カラン側の水取出口２１ｃとが連通する。これにより、給水口１３から水栓本体１１の内部（給水路１８ｂ）に供給される水は、カラン吐水路１９ａに流れ込む。このとき、ハンドル２２の操作量（止水位置からのカラン吐水を行う方向への回動量）に応じて、弁機構の開放量が選択される。つまり、ハンドル２２の操作量の多少に応じて、カラン吐水路１９ａに流れ込む「水」の量を選択することができる。
【００４０】
また、水側のハンドル２３を、シャワー吐水を行う方向（例えば、図７の如く、取っ手部２２ａが右方に位置する状態）に操作すると、切換弁２１内の弁機構が開放操作され、水取入口２１ｂと、シャワー側の水取出口２１ｄとが連通する。これにより、給水口１３から水栓本体１１の内部（給水路１８ｂ）に供給される水は、シャワー吐水路１９ｂに流れ込む。このとき、ハンドル２３の操作量（止水位置からシャワー吐水を行う方向への回動量）に応じて、弁機構の開放量が選択される。つまり、ハンドル２３の操作量の多少に応じて、シャワー吐水路１９ｂに流れ込む「水」の量を選択することができる。
【００４１】
カラン吐水手段３０はカラン３１を用いて構成され、このカラン３１の一次側の端部は、カラン接続口１４に接続されている。また、シャワー吐水手段４０は、シャワーホース４１と、シャワーヘッド４４とを備えている。そして、シャワーホース４１の一次側の端部がシャワー接続口１５に接続され、シャワーホース４１の二次側の端部にシャワーヘッド４４の基端部が接続されている。
【００４２】
次に、図３〜図９を用いて、本水栓設備Ｓの使用例を簡単に説明する。尚、図３（ａ）、図４（ａ）、図５（ａ）、図６（ａ）、図７（ａ）、図８（ａ）、及び図９（ａ）において、「流路部分のうちで実線で表示した箇所」は、「通水状態にある箇所」を示し、「流路部分のうちで破線で表示した箇所」は、「通水状態にない箇所」を示している。
【００４３】
先ず、図３に示すように、両ハンドル２２、２３が止水位置にあると、両切換弁２０、２１内の弁機構は止水状態とされている。このため、給湯用の元配管部１Ａから供給される湯が、湯側の切換弁２０の２次側（カラン吐水路１９ａ及びシャワー吐水路１９ｂ）に流出できない共に、給水用の元配管部１Ｂから供給される水が、水側の切換弁２１の２次側（カラン吐水路１９ａ及びシャワー吐水路１９ｂ）に流出できないため、本水栓１０は止水状態となる。
【００４４】
図４に示すように、湯側のハンドル２２のみを、止水位置からカラン吐水を行う方向に操作すると、湯取入口２０ｂと、カラン側の湯取出口２０ｃとが連通し、給湯口１２から水栓本体１１の内部（給湯路１８ａ）に供給される湯がカラン吐水路１９ａに流れ込む。これにより、カラン吐水手段３０からの「湯」の吐水が行われる。一方、図５に示すように、湯側のハンドル２２のみを、止水位置からシャワー吐水を行う方向に操作すると、湯取入口２０ｂと、シャワー側の湯取出口２０ｄとが連通し、給湯口１２から水栓本体１１の内部（給湯路１８ａ）に供給される湯がシャワー吐水路１９ｂに流れ込む。これにより、シャワー吐水手段４０からの「湯」の吐水が行われる。
【００４５】
図６に示すように、水側のハンドル２３のみを、止水位置からカラン吐水を行う方向に操作すると、水取入口２１ｂと、カラン側の水取出口２１ｃとが連通し、給水口１３から水栓本体１１の内部（給水路１８ｂ）に供給される水がカラン吐水路１９ａに流れ込む。これにより、カラン吐水手段３０からの「水」の吐水が行われる。一方、図７に示すように、湯側のハンドル２３のみを、止水位置からシャワー吐水を行う方向に操作すると、水取入口２１ｂと、シャワー側の水取出口２１ｄとが連通し、給水口１３から水栓本体１１の内部（給水路１８ｂ）に供給される水がシャワー吐水路１９ｂに流れ込む。これにより、シャワー吐水手段４０からの「水」の吐水が行われる。
【００４６】
図８に示すように、湯側のハンドル２２及び水側のハンドル２３を、止水位置からカラン吐水を行う方向に操作すると、湯取入口２０ｂ及び水取入口２１ｂが、カラン吐水路１９ａと連通する。このため、給湯用の元配管部１Ａから供給される湯と、給水用の元配管部１Ｂから供給される水とが、カラン吐水路１９ａに流れ込んで混合される。一方、図９に示すように、水側のハンドル２２及び水側のハンドル２３を、止水位置からシャワー吐水を行う方向に操作すると、湯取入口２０ｂ及び水取入口２１ｂが、シャワー吐水路１９ｂと連通する。このため、給湯用の元配管部１Ａから供給される湯と、給水用の元配管部１Ｂから供給される水とが、シャワー吐水路１９ｂに流れ込んで混合される。
【００４７】
つまり、本実施例においては、湯側のハンドル２２及び水側のハンドル２３の双方を同一の方向（カラン吐水方向若しくはシャワー吐水方向のうちの一方）に操作すると、給湯用の元配管部１Ａから供給される湯と、給水用の元配管部１Ｂから供給される水とが水栓本体１１内で混合される。このとき、「湯」と「水」の混合比率は、湯側のハンドル２２の操作量と、水側のハンドル２３の操作量との比に応じて選択され、これにより、「湯」と「水」とを混合して構成される湯水の温度が選択される。但し、本実施例では、給湯用の元配管部１Ａから供給される湯の温度は、調温手段によって所望温度に制御されているため、図８及び図９の如く、湯水を混合する必要性は乏しい。
【００４８】
以上の本実施例の水栓１０では、その水栓本体１１の内部において、切換弁２０、２１の１次側に温度調節部（例えば、自動温度調節機構を備える温度調節部）を配置しないため、カラン吐水手段３０やシャワー吐水手段４０から吐水される湯や水の吐水流量（勢い）を十分に確保できる。つまり、水栓本体１１に流入した湯の給湯圧や水栓本体に流入した水の給水圧を徒に低下させる機構を、水栓本体１１内に配置しないため、カラン吐水手段３０やシャワー吐水手段４０から吐水される湯や水の吐水流量（勢い）を十分に確保できる。また、本実施例の水栓１０では、湯側のハンドル２２及び水側のハンドル２３のうちの一方を操作したり、双方を操作すれば、吐止水の選択と、吐水流量の選択と、吐水方向の切換とを行うことができる。よって、本実施例の水栓１０は、操作性が高く、使用勝手が優れている。
【００４９】
また、本実施例の水栓１０は、吐止水の選択と、吐水方向の切換等を同一の操作部（湯側のハンドル２２若しくは水側のハンドル２３）によって行う構造であるため、誤操作を生じ難くできる。つまり、２ハンドルタイプの水栓とは異なり、吐水方向の切換操作を行うことなく、吐止水の選択操作を行うことが不可能な構造である。このため、使用者は、単一の操作部（吐止水の選択と、吐水方向の切換等を同時に行うための操作部であって、湯側のハンドル２２若しくは水側のハンドル２３）に注意を傾けつつ、この操作部を操作することができるため、「使用者の意に反する吐水手段から湯水が流出する」等の不具合を生ずることを防止できる。
【００５０】
更に、本実施例の水栓１０では、その水栓本体１１の内部における切換弁２０、２１の１次側に構造が複雑で、製造コストや設置スペースが嵩む部品（例えば、「自動温度調節機構を備える温度調節部」）を配置しない。このため、水栓１０の機構（構造）の簡略化と製造コストの低廉化を図ることが容易である。また、水栓本体１１のサイズや形状の選択の自由度が高くなり、水栓１０のデザインの選択の自由度が高くなる。
【００５１】
また、本実施例の水栓１０では、水栓本体１１の１次側で所望温度に温度制御された「湯」を、湯側の流入部（給湯口１２）を通じて水栓本体１１に流入させる。つまり、使用者は、給湯器５１から水栓本体１１に供給される湯の温度を予め所望温度に設定しておけば、より一層、使用勝手の良い状態にて水栓を１０使用することができる。例えば、湯を吐水させたい場合（風呂への給湯時、洗髪時、手荒い時、食器洗浄時等）には、湯側のハンドル２２のみに開放操作を施せば足り、水を吐水させたい場合（清掃時等）には、水側のハンドル２３のみに開放操作を施せば足りるからである。換言すると、湯側だけ、又は、水側だけの吐水（通水）を行う場合には、一方のハンドル（２２若しくは２３）に一操作を施せば足りることになる。尚、本実施例の水栓１０では、両ハンドル（２２若しくは２３）に開放操作を施し、給湯口１２から水栓本体１１に流入する湯と、給水口１３から水栓本体１１に流入する水とを、水栓本体１１の内部で混合した上で、何れかの吐水手段（カラン吐水手段３０若しくはシャワー吐水手段４０）からの吐水を行うこともできる。
【００５２】
尚、本各発明の範囲は前記各実施例に示す具体的な態様に限定されず、本各発明の範囲内で種々の変形例を例示できる。
【００５３】
即ち、湯側の切換弁２０の操作部の位置と、水側の切換弁２１の操作部の位置は、実施例に示すものに限定されない。例えば、図１０に示す変形例のように、各切換弁２０、２１の操作部（湯側のハンドル２２若しくは水側のハンドル２３）を、水栓１０の側面に配置してもよいし、両切換弁２０、２１の操作部を、水栓１０の上面に配置したり、両切換弁２０、２１の操作部を、水栓１０の異なる面に配置してもよい。即ち、水栓本体の前面、右側面、左側面、及び上面のから選択される１つの面に、一方の操作部を配置し、他の面に他方の操作部を配置してもよい。尚、図１０の水栓では、実施例（図２等）に示す水栓１０と同様な部分（部材）に関しては、同一の符号を付し、説明を省略する。
【００５４】
また、この変形例では、何れの操作部（湯側のハンドル２２及び水側のハンドル２３）も、取っ手部２２ａ、２３ｂが水平で、しかも、前方に向けられたときに、各切換弁２０、２１が止水状態となる。そして、操作部（湯側のハンドル２２や水側のハンドル２３）に対して、取っ手部２２ａ、２３ｂが上方（斜め上方や、真上）を向くような回動操作が加えられる（図１０の破線を参照）と、シャワー吐水手段４０による吐水が開始され、その吐水流量は、操作部の回動操作量に応じて定められる。一方、操作部（湯側のハンドル２２及び水側のハンドル２３）に対して、取っ手部２２ａ、２３ｂが下方（斜め下方や、真下）を向くような回動操作が加えられると、カラン吐水手段３０による吐水が開始され、その吐水流量は、操作部の回動操作量に応じて定められる。
【００５５】
ところで、使用者の体や衣服等が誤って、取っ手部２２ａ、２３ｂに触れた場合、操作部（湯側のハンドル２２及び水側のハンドル２３）には、取っ手部２２ａ、２３ｂが下方（斜め下方や、真下）を向くような回動操作が加えられ易い。つまり、この変形例では、使用者の体や衣服等が誤って、取っ手部２２ａ、２３ｂに触れ、操作部（湯側のハンドル２２及び水側のハンドル２３）の誤操作が生じた場合に、カラン吐水手段３０による吐水を生じ易いが、「シャワー吐水手段４０による吐水」を生じ難くなっている。よって、本変形例では、「使用者の体や衣服等が誤って取っ手部２２ａ、２３ｂに触れて起こる誤操作」に伴って、「シャワー吐水手段４０による吐水」がなされる可能性が低い。つまり、「使用者の体や衣服等が誤って取っ手部２２ａ、２３ｂに触れる」等の事態を生じても、「シャワー吐水手段４０による吐水を使用者が誤ってかぶる」という、不具合を生じ難くなっている。
【００５６】
また、本実施例では、水栓本体１１の内部において、給湯用の元配管部１Ａから供給される湯と、給水用の元配管部１Ｂから供給される水とを混合可能な態様を例示した。但し、本各発明の水栓は、このような混合を行わないものであってもよい。
【００５７】
例えば、請求項１〜請求項３の発明の水栓やその周囲に、以下のような禁止手段を設けてもよい。（Ａ）「湯側の切換弁の操作部」及び「水側の切換弁の操作部」の一方に開放操作が施されたときに、他方に開放操作が施されることを禁止する禁止手段、（Ｂ）「湯側の切換弁の操作部」に開放操作が施されたときに、水側の流入部から水栓本体に水が流入することを禁止し、「水側の切換弁の操作部」に開放操作が施されたときに、湯側の流入部から水栓本体に湯が流入することを禁止する禁止手段、（Ｃ）「湯側の切換弁の操作部」に開放操作が施されたときに、水側の流入部から水栓本体に流入した水が「水側の切換弁」の２次側に流出することを禁止し、「水側の切換弁の操作部」に開放操作が施されたときに、湯側の流入部から水栓本体に流入した湯が「湯側の切換弁」の２次側に流出することを禁止する禁止手段、等を設ける態様を例示できる。
【００５８】
また、水栓本体において、「湯側の切換弁の２次側に位置する部分」と、「水側の切換弁の２次側に位置する部分」とを別個独立に設けると共に、湯吐水専用の吐水手段と、水吐水専用の吐水手段と、を用意することで、湯側の流入部から水栓本体に流入する湯と、水側の流入部から水栓本体に流入する水とを、水栓本体の内部で混合する態様を排除することもできる。例えば、実施例や変形例において、カラン吐水路１９ａ及びシャワー吐水路１９ｂの双方、若しくは、一方を湯吐水専用のものと、水吐水専用のものとに分けて構成することもできる。そして、「専用」の吐水路の端末毎に、湯吐水専用若しくは水吐水専用の吐水手段を接続すればよい。
【産業上の利用可能性】
【００５９】
本発明は、例えば、水栓の製造、販売、施工、加工等を行う分野で利用可能である。
【図面の簡単な説明】
【００６０】
【図１】実施例の水栓設備（水栓）を示すブロック図である。
【図２】実施例の水栓本体を示す概略的な横断面図である。
【図３】（ａ）及び（ｂ）は実施例の水栓設備（水栓）の使用例を示す説明図である。
【図４】（ａ）及び（ｂ）は実施例の水栓設備（水栓）の使用例を示す説明図である。
【図５】（ａ）及び（ｂ）は実施例の水栓設備（水栓）の使用例を示す説明図である。
【図６】（ａ）及び（ｂ）は実施例の水栓設備（水栓）の使用例を示す説明図である。
【図７】（ａ）及び（ｂ）は実施例の水栓設備（水栓）の使用例を示す説明図である。
【図８】（ａ）及び（ｂ）は実施例の水栓設備（水栓）の使用例を示す説明図である。
【図９】（ａ）及び（ｂ）は実施例の水栓設備（水栓）の使用例を示す説明図である。
【図１０】変形例の水栓本体を示す概略的な横断面図である。
【符号の説明】
【００６１】
１０；水栓、
１１；水栓本体、
１２；給湯口（湯側の流入部）、
１３；給水口（水側の流入部）、
１４；カラン接続口（カラン側の流出部）、
１５；シャワー接続口（シャワー側の流出部）、
２０；湯側の切換弁、
２１；水側の切換弁、
３０；カラン吐水手段、
４０；シャワー吐水手段、
５１；給湯器（調温手段）。
【図１】
2005133456.tif 000003
【図２】
2005133456.tif 000004
【図３】
2005133456.tif 000005
【図４】
2005133456.tif 000006
【図５】
2005133456.tif 000007
【図６】
2005133456.tif 000008
【図７】
2005133456.tif 000009
【図８】
2005133456.tif 000010
【図９】
2005133456.tif 000011
【図１０】
2005133456.tif 000012